(57)【要約】【課題】  所望の音響効果が得られるのはもちろんのこと、音響反射板装置における小型軽量化を可能にして、セッティング時あるいは収納に際しての移動を容易にする。【解決手段】  舞台Ｓの正面奥壁Ｓ１側に配在される正面反射板１の上端と舞台Ｓの上方に配在される天井反射板３の後端とが舞台Ｓの上方でありながら舞台Ｓの間口方向に配在される横桟４に連結されると共に、この横桟４が舞台Ｓの袖側における中央部の上方から垂下される固定牽引体５に吊持されながら舞台Ｓの袖側における正面奥壁Ｓ１側の上方から垂下される昇降牽引体６に連結され、天井反射板３の先端が舞台Ｓの袖側における客席Ｇ側の上方から垂下される昇降牽引体７に連結されてなる。【選択図】        図１
2005021589.tif 000002
【特許請求の範囲】
【請求項１】
舞台の正面奥壁側に配在される正面反射板と、舞台の袖側に配在される側面反射板と、舞台の上方に配在される天井反射板とを有してなる音響反射板装置であって、正面反射板の上端と天井反射板の後端とが舞台の上方でありながら舞台の間口方向に配在される横桟に連結されると共に、この横桟が舞台の袖側における中央部の上方から垂下される固定牽引体に吊持されながら舞台の袖側における正面奥壁側の上方から垂下される昇降牽引体に連結され、天井反射板の先端が舞台の袖側における客席側の上方から垂下される昇降牽引体に連結されてなることを特徴とする音響反射板装置
【請求項２】
天井反射板の上端が舞台の上方でありながら舞台の間口方向に配在される横桟に連結されると共に、この横桟に舞台の袖側における客席側の上方から垂下される昇降牽引体が連結されてなる請求項１に記載の音響反射板装置
【発明の詳細な説明】
【技術分野】
【０００１】
この発明は、音響反射板装置に関し、特に、劇場の舞台などに設けられる可動式に設定の音響反射板装置の改良に関する。
【背景技術】
【０００２】
たとえば、劇場の舞台などに設けられる可動式に設定の音響反射板装置としては、従来から、種々の提案があるが、その中に、音響反射板装置が正面反射板，側面反射板および天井反射板の互いに連繋される各反射板を有してなり、利用時には、連繋された状態下に各反射板を舞台上で展開すると共に、不使用時には、折り畳み状態にして舞台の正面奥壁に副わせるように集積するとの提案がある（たとえば、特許文献１参照）。
【０００３】
それゆえ、この提案によれば、折り畳まれた状態の各反射板を正面奥壁と舞台との間で移動させることで、使用時のセッティングを可能にし得ると共に、不使用時の格納を可能にし得ることになる。
【特許文献１】特許公開２００１‐１３２１３５号（特許請求の範囲，図１，図２）
【発明の開示】
【発明が解決しようとする課題】
【０００４】
しかしながら、上記の提案にあっては、音響反射板装置における小型軽量化を図り難くする不具合がある。
【０００５】
すなわち、上記の提案にあって、正面反射板は、その背面に連設されていわゆる起立状態に維持される支持フレームに支持されているが、音響反射板装置の不使用時には、天井反射板を正面反射板の上端上方に起立させた状態にし、この状態で、正面反射板を支持する支持フレームに一体的に副わせるとしている。
【０００６】
それゆえ、支持フレームの高さは、正面反射板の高さを超えるのはもちろんだが、この正面反射板の上に天井反射板を連続させた長さに形成されることが必須になる。
【０００７】
その結果、支持フレームが高く、すなわち、長く形成されるから、音響反射板装置全体の大型化や重量の増大化を招来し、したがって、この支持フレームを正面奥壁と舞台との間で移動させるについて多大なエネルギーを要し、いわゆる省エネを困難にすることになる。
【０００８】
この発明は、上記した事情を鑑みて創案されたものであって、その目的とするところは、所望の音響効果が得られるのはもちろんのこと、音響反射板装置における小型軽量化を可能にして、セッティング時あるいは格納に際しての移動を容易にして、その汎用性の向上を期待するのに最適となる音響反射板装置を提供することである。
【課題を解決するための手段】
【０００９】
上記した目的を達成するために、この発明による音響反射板装置の構成を、請求項１では、舞台の正面奥壁側に配在される正面反射板と、舞台の袖側に配在される側面反射板と、舞台の上方に配在される天井反射板とを有してなる音響反射板装置であって、正面反射板の上端と天井反射板の後端とが舞台の上方でありながら舞台の間口方向に配在される横桟に連結されると共に、この横桟が舞台の袖側における中央部の上方から垂下される固定牽引体に吊持されながら舞台の袖側における正面奥壁側の上方から垂下される昇降牽引体に連結され、天井反射板の先端が舞台の袖側における客席側の上方から垂下される昇降牽引体に連結されてなるとする。
【００１０】
そして、請求項２では、天井反射板の上端が舞台の上方でありながら舞台の間口方向に配在される横桟に連結されると共に、この横桟に舞台の袖側における客席側の上方から垂下される昇降牽引体が連結されてなるとする。
【発明の効果】
【００１１】
それゆえ、請求項１の発明にあっては、舞台の正面奥壁に沿うように垂下される、たとえば、吊りワイヤからなる昇降牽引体を上昇させて横桟を吊り上げるようにすることで、この横桟に連結された正面反射板が上昇することになる。
【００１２】
このとき、横桟に連結される昇降牽引体は、舞台の袖側における正面奥壁側で垂下されるから、横桟が正面奥壁に副うようになり、この横桟に連結される正面反射板が正面奥壁に副うようになる。
【００１３】
そして、このとき、昇降牽引体が舞台の袖側における正面奥壁側で垂下されるから、この昇降牽引体が舞台の上方に配在されるバトン装置に干渉することがなく、また、この昇降牽引体に連結される横桟もバトン装置に干渉し得なくなり、昇降牽引体および横桟の円滑な上昇が実現される。
【００１４】
一方、横桟には天井反射板も連結されているから、この天井反射板も正面反射板と同時に上昇することになり、それゆえ、天井反射板の先端を吊持している昇降牽引体の緊張が緩み、したがって、天井反射板の先端が下降し、すなわち、天井反射板が横桟に連結された基端を回転中心にして回転し、正面反射板に副うように折り畳まれる状態になる。
【００１５】
そして、天井反射板の先端に連結されている昇降牽引体を下降させることで、天井反射板がさらに折り畳まれて正面反射板に副う状態になり、舞台の正面奥壁に副う状態にして正面反射板および天井反射板を格納し得ることになる。
【００１６】
それゆえ、正面反射板および天井反射板を舞台の正面奥壁に副うように格納するについて、昇降牽引体を上昇させることだけで足り、いたずらに多大なエネルギーを必要としないことになる。
【００１７】
上記の正面反射板および天井反射板の格納の際にして、側面反射板が舞台の奥行き方向に折り畳み可能に形成されることで、側面反射板のコンパクト化が可能になる。
【００１８】
そして、側面反射板が正面反射板に回動可能に連繋されることで、側面反射板を正面反射板に副わせるように折り畳むことが可能になり、さらに、側面反射板が正面反射板と分離可能とされて舞台の上方との間で昇降可能とされることで、側面反射板の舞台上方への格納が可能になる。
【００１９】
一方、上記したところに引き続いて、横桟をさらに吊り上げるようにすると、正面反射板および天井反射板が正面奥壁に沿って上昇することになり、舞台の正面奥壁の下方側を他用途への利用を可能にする開放状態にする。
【００２０】
さらに、上記した手順と逆の手順で、横桟を下降させることで、正面反射板および天井反射板の下降が可能になると共に、さらなる横桟の下降で正面反射板が舞台の客席側に移動して舞台の袖側における中央部の上方から垂下される固定牽引体で吊持された状態にして舞台に起立されることになる。
【００２１】
このとき、天井反射板の先端に連結されている昇降牽引体を上昇させることで、天井反射板が先端を上昇させて展開状態になる。
【００２２】
そして、このとき、請求項２の発明にあっては、天井反射板の先端が舞台の上方でありながら舞台の間口方向に配在される横桟に連結されると共に、この横桟に舞台の客席側の上方から垂下される昇降牽引体が連結されてなるとするから、昇降牽引体が舞台上方のバトン機構に干渉することなく昇降することになり、天井反射板の昇降を円滑に実現可能にする。
【００２３】
また、正面反射板および天井反射板の舞台へのセッティングに際しても、昇降牽引体を一方で下降させ、一方で上昇させるだけで足り、いたずらに多大なエネルギーを必要としない。
【００２４】
その結果、この発明にあっては、所望の音響効果が得られるのはもちろんのこと、音響反射板装置における小型軽量化を可能にして、セッティング時あるいは格納に際しての移動を容易にし、その汎用性の向上を期待するのに最適となる。
【発明を実施するための最良の形態】
【００２５】
以下に、図示した実施の形態に基づいて、この発明を説明するが、この発明による音響反射板装置は、図１および図２に示すように、たとえば、劇場における舞台Ｓの図１中で左側となる正面奥壁Ｓ１側に配設される正面反射板１と、図２中で左右側となる舞台Ｓの左右の袖側にそれぞれ配設される側面反射板２と、図１中および図２中で上方となる舞台Ｓの上方に配在される天井反射板３とを有してなる。
【００２６】
ちなみに、舞台Ｓの上方となる図示しない天井近くには簀の子Ｒが配設され、この簀の子Ｒ上には、たとえば、後述する昇降牽引体６，７たる吊りワイヤを巻き取りあるいは引き出すウインチなどの巻取手段が載置され、さらに、この簀の子Ｒには、図示しないが、バトン機構が吊持されるとしている。
【００２７】
そして、天井反射板３は、このバトン機構に干渉しないのはもちろんのこと、多くの場合に、図１中で右側となる客席Ｇ側の最前における天井まで高さＨと殆ど同レベルとなる高さに維持されるとしている。
【００２８】
ところで、この音響反射板装置にあっては、正面反射板１の上端とこれに近隣する天井反射板３の後端とが舞台Ｓの上方でありながら図２中で左右方向となる舞台Ｓの間口方向に配在される横桟４に連結されてなるとしている。
【００２９】
ちなみに、この横桟４は、上記した図示しないバトン機構における舞台Ｓの間口方向の幅よりもいわゆる両サイドで突出する長さの幅を有するように設定されているが、このとき、側面反射板２は、この横桟４の幅内に配在されるように設定されている（図２参照）。
【００３０】
そして、この横桟４は、舞台Ｓの袖側における中央部の上方から垂下される固定牽引体５に吊持されながら舞台Ｓの袖側における正面奥壁Ｓ１側の上方から垂下される昇降牽引体６に連結されるとしている(図１参照)。
【００３１】
このとき、固定牽引体５は、図示するところでは、前記した簀の子Ｒから垂下される定尺の、たとえば、チェーンからなり、また、昇降牽引体６は、図示するところでは、図示しないが、簀の子Ｒの上方に配設されるウインチなどの巻取手段から垂下される、たとえば、吊りワイヤからなるとしている。
【００３２】
一方、この音響反射板装置にあっては、天井反射板３の先端が舞台Ｓの袖側における客席Ｇ側の上方から垂下される、たとえば、吊りワイヤからなる昇降牽引体７に連結されてなるとしている。
【００３３】
このとき、図示するところでは、天井反射板３の先端が舞台Ｓの上方でありながら舞台Ｓの間口方向に配在される横桟８に連結されると共に、この横桟８に上記の昇降牽引体７が連結されてなるとしている。
【００３４】
ちなみに、この横桟８は、前記した横桟４と同様に、前記したバトン機構における舞台Ｓの間口方向の幅よりもいわゆる両サイドで突出する長さの幅を有するように設定されている（図２参照）。
【００３５】
それゆえ、この横桟８および前記した横桟４にあっては、舞台Ｓの上方のバトン機構に干渉することなく移動し得ることになり、また、この横桟８および前記の横桟４に連結される昇降牽引体７，６が上記のバトン機構に干渉することなく昇降し得ることになり、天井反射板および天井販社板１の円滑な昇降を実現し得ることになる。
【００３６】
それゆえ、以上のように形成された音響反射板装置にあっては、舞台Ｓの正面奥壁Ｓ１に沿うように垂下される吊りワイヤからなる昇降牽引体６を上昇させて横桟４を吊り上げるようにすることで、この横桟４に連結されている正面反射板１を上昇させ得ることになる。
【００３７】
このとき、横桟４に連結される昇降牽引体６は、舞台Ｓの袖側における正面奥壁Ｓ１側で垂下されるから、図３に示すように、横桟４が正面奥壁Ｓ１に副うようになり、この横桟４に連結される正面反射板１が正面奥壁Ｓ１に副うようになる。
【００３８】
そして、このとき、昇降牽引体６が舞台の袖側における正面奥壁Ｓ１側で垂下されるから、この昇降牽引体６が舞台Ｓの上方に配在されるバトン装置に干渉せず、また、この昇降牽引体６に連結される横桟４もバトン装置に干渉し得なくなり、昇降牽引体６および横桟４の円滑な上昇が実現可能とされることになる。
【００３９】
一方、横桟４には天井反射板３も連結されているから、この天井反射板３も正面反射板１と同時に上昇することになり、それゆえ、天井反射板３の先端を吊持している昇降牽引体７を緩めて天井反射板の先端を下降させると、図３に示すように、天井反射板３が横桟４に連結された基端を回転中心にして回転し、正面反射板１に副うように折り畳まれる状態になる。
【００４０】
そして、昇降牽引体７をさらに下降させることで、天井反射板３がさらに折り畳まれて正面反射板１に副う状態になり、舞台Ｓの正面奥壁Ｓ１に副う状態にして正面反射板１および天井反射板３を格納し得ることになる。
【００４１】
それゆえ、正面反射板１および天井反射板３を舞台Ｓの正面奥壁Ｓ１に副うように格納するについて、昇降牽引体６を上昇させ、また、昇降牽引体７を下降させることだけで足り、いたずらに多大なエネルギーを必要としないことになる。
【００４２】
一方、上記したところに引き続いて、図３中に仮想線図で示すように、横桟４をさらに吊り上げるようにすると、正面反射板１および天井反射板３が正面奥壁Ｓ１に沿って上昇することになり、舞台Ｓの正面奥壁Ｓ１の下方側を他用途への利用を可能にする開放状態にすることになる。
【００４３】
さらに、上記した手順と逆の手順で、横桟４を下降させることで、正面反射板１および天井反射板３の下降が可能になると共に、さらなる横桟４の下降で正面反射板１が固定牽引体５で吊持された状態で舞台Ｓに起立されることになる。
【００４４】
このとき、昇降牽引体７を上昇させることで、天井反射板３が先端を上昇させて展開状態になる。
【００４５】
そして、このとき、図示するところでは、天井反射板３の先端が横桟８に連結されると共に、この横桟８に昇降牽引体７が連結されるから、この昇降牽引体７が舞台Ｓの上方のバトン機構に干渉することなく昇降することになり、この天井反射板３の円滑な昇降を実現し得ることになる。
【００４６】
このことからすれば、正面反射板１および天井反射板３の舞台Ｓへのセッティングに際しても、一方の昇降牽引体６を下降させ、他方の昇降牽引体７を上昇させることで足りることになる。
【００４７】
特に、前記した特許文献１に開示するところでは、正面反射板が舞台Ｓの正面奥壁Ｓ１に一端が連結されるリンク機構の他端に連結されるとしているから、この正面反射板を装備する音響反射板装置における全体重量が大幅に増大することになり、多大なエネルギーを必要とすることに比較して、少ないエネルギー消費で済み、いわゆる省エネを実現可能にする。
【００４８】
また、この発明による音響反射板装置にあって、正面反射板１は、起立した状態で格納されるから、倒された状態で格納される場合に比較して、舞台Ｓなどを大きく占領しないことになる。
【００４９】
そして、天井反射板３は、その基端が正面反射板１の上端に連繋された状態で正面反射板１に副うように折り畳まれるから、殆ど起立した状態におかれ、したがって、これを格納するについて、正面反射板１と同様に、舞台Ｓなどを大きく占領しないことになる。
【００５０】
また、天井反射板３は、その基端が正面反射板１の上端が連結される横桟４に併せて連結された状態で正面反射板１に副うように折り畳まれるから、これが正面反射板１よりも高く上方に突出しなくなる。
【００５１】
その結果、不使用時に格納状態におかれる音響反射板装置がいわゆる上方に大きく突出することで、図示しないが、たとえば、舞台Ｓの上方に配在されているバトン機構に干渉するなどの不具合を招来しないことになる。
【００５２】
また、天井反射板３が正面反射板１よりも高く上方に突出しないから、たとえば、音響反射板装置全体の大型化や重量の増大化を回避でき、これをセッティングしたり撤去したりする際の労力の削減を可能にし、さらには、いわゆる省エネを可能にし得ることになる。
【００５３】
以上からすれば、この発明にあっては、音響反射板装置における小型軽量化を可能にして、セッティング時あるいは格納に際しての移動を容易にし、その汎用性の向上を期待できることになる。
【００５４】
上記のように正面反射板１および天井反射板３が形成されているとき、図示しないが、側面反射板２が図１中および図３中で左右方向となる舞台Ｓの奥行き方向に折り畳み可能に形成されることで、側面反射板２のコンパクト化が可能になる。
【００５５】
そして、同じく図示しないが、側面反射板２が正面反射板１に回動可能に連繋されることで、側面反射板２正面反射板１に副わせるように折り畳むことが可能になり、さらに、側面反射板２が正面反射板１と分離可能とされて舞台Ｓの上方との間で昇降可能とされることで、側面反射板２の舞台Ｓの上方への格納が可能になる。
【００５６】
また、図示するところでは、側面反射板２は、正面反射板１と分離形成されていて、使用時には、舞台Ｓに立設されるのはもちろんだが、不使用時には、舞台Ｓの袖側にスライド移動されて格納されるとしている。
【００５７】
このとき、この側面反射板２が折り畳み可能に形成されている場合には、格納に有利になると言い得るが、舞台Ｓの袖側にいわゆる余裕がある場合には、折り畳み可能に形成されていなくても、格納に際しての大きな支障にはならないと言い得る。
【００５８】
ちなみに、側面反射板２が折り畳み可能に形成されるとき、その折り畳みおよび引伸ばしの各動作は、いわゆる作業者の人手によるとしているが、これに代えて、たとえば、側面反射板２の背面に配設などされた適宜の駆動機構によるとしても良い。
【００５９】
ただ、図示する実施の形態のように、人手によるとする場合には、適宜の駆動機構を利用する場合に比較して、重量の軽減化による操作性や搬送性を良くし、また、コストの低減化を図る上で有利となる。
【００６０】
前記したところにあって、各反射板１，２，３は、それぞれが自己支持性を有するのに十分となる機械的強度を有するように形成されるのはもちろんのこと、図示しないが、それぞれが音響反射を可能にする仕様に構成されてなるもので、特に、それぞれのいわゆる正面が音響反射面に設定された状態でいわゆるフレーム構造に構成されていて、その軽量化が図られている。
【図面の簡単な説明】
【００６１】
【図１】この発明の一実施形態による音響反射板装置を使用状態で示す概略縦断面図である。
【図２】図１に示す音響反射板装置を示す概略正面図である。
【図３】図１に示す音響反射板装置の格納途中状態を図１と同様に示す図である。
【符号の説明】
【００６２】
１  正面反射板
２  側面反射板
３  天井反射板
４，８  横桟
５  固定牽引体
６，７  昇降牽引体
Ｇ  客席
Ｈ  高さ
Ｒ  簀の子
Ｓ  舞台
Ｓ１  正面奥壁
【図１】
2005021589.tif 000003
【図２】
2005021589.tif 000004
【図３】
2005021589.tif 000005